【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
Ｍ個（Ｍは２以上の自然数）の発光領域が内在し、少なくとも一つの前記発光領域内に半導体発光素子を発光要素として備える発光装置であって、
当該発光装置の主たる放射方向に各発光領域から出射される光の分光分布をφＳＳＬＮ（λ）（Ｎは１からＭ）とし、前記発光装置から当該放射方向に出射されるすべての光の分光分布φＳＳＬ（λ）が、
【数１】
2014197673.tif 000001
のときに、
前記φＳＳＬ（λ）を、以下の条件１を満たすように出来る発光領域が内在し、
前記発光領域から出射される光束量かつ／または放射束量を変化させることで、φＳＳＬ（λ）が条件３´を更に満たすように出来る発光領域が内在する発光装置。
条件１：
前記発光装置から出射される光は、ＡＮＳＩ  Ｃ７８．３７７で定義される黒体放射軌跡からの距離ＤｕｖＳＳＬが、−０．０３５０  ≦  ＤｕｖＳＳＬ  ＜  ０となる光を主たる放射方向に含む。
条件３´：
当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６
Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、飽和度差ΔＣｎが
−３．８  ≦  ΔＣｎ  ≦  １８．６            （ｎは１から１５の自然数）
を満たす。
ただし、ΔＣｎ＝√｛（ａ＊ｎＳＳＬ）２＋（ｂ＊ｎＳＳＬ）２｝−√｛（ａ＊ｎｒｅ
ｆ）２＋（ｂ＊ｎｒｅｆ）２｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
【請求項２】
Ｍ個（Ｍは２以上の自然数）の発光領域が内在し、少なくとも一つの前記発光領域内に半導体発光素子を発光要素として備える発光装置であって、
当該発光装置の主たる放射方向に各発光領域から出射される光の分光分布をφＳＳＬＮ（λ）（Ｎは１からＭ）とし、前記発光装置から当該放射方向に出射されるすべての光の分光分布φＳＳＬ（λ）が、
【数２】
2014197673.tif 000002
のときに、
前記φＳＳＬ（λ）を、以下の条件１−２を満たすように出来る発光領域が内在する発光装置。
条件１：
前記発光装置から出射される光は、ＡＮＳＩ  Ｃ７８．３７７で定義される黒体放射軌跡からの距離ＤｕｖＳＳＬが、−０．０３５０  ≦  ＤｕｖＳＳＬ ＜  ０となる光を主たる放射方向に含む。
条件２：
前記発光装置から当該放射方向に出射される光の分光分布をφＳＳＬ（λ）、前記発光装置から当該放射方向に出射される光の相関色温度ＴＳＳＬ（Ｋ）に応じて選択される基準の光の分光分布をφｒｅｆ（λ）、前記発光装置から当該放射方向に出射される光の三刺激値を（ＸＳＳＬ、ＹＳＳＬ、ＺＳＳＬ）、前記発光装置から当該放射方向に出射される光の相関色温度ＴＳＳＬ（Ｋ）に応じて選択される基準の光の三刺激値を（Ｘｒｅｆ、Ｙｒｅｆ、Ｚｒｅｆ）とし、
前記発光装置から当該放射方向に出射される光の規格化分光分布ＳＳＳＬ（λ）と、前記発光装置から当該放射方向に出射される光の相関色温度ＴＳＳＬ（Ｋ）に応じて選択される基準の光の規格化分光分布Ｓｒｅｆ（λ）と、これら規格化分光分布の差ΔＳ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、λＲよりも長波長側にＳＳＳＬ（λＲ）／２となる波長Λ４が存在する場合において、
下記数式（１）で表される指標Ａｃｇが、−３６０  ≦  Ａｃｇ  ≦  −１０を満たし、
波長３８０ｎｍ以上７８０ｎｍ以内の範囲で、ＳＳＳＬ（λ）の最長波長極大値を与える波長をλＲ（ｎｍ）とした際に、λＲよりも長波長側にＳＳＳＬ（λＲ）／２となる波長Λ４が存在しない場合において、
下記数式（２）で表される指標Ａｃｇが、−３６０  ≦  Ａｃｇ  ≦  −１０を満たす。
【数３】
2014197673.tif 000003
【数４】
2014197673.tif 000004
【請求項３】
請求項２に記載の発光装置であって、
前記発光領域から出射される光束量かつ／または放射束量を変化させることで、φＳＳＬ（λ）が条件３´を更に満たすように出来る発光領域が内在する発光装置。
条件３´：
当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６
Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、飽和度差ΔＣｎが
−３．８  ≦  ΔＣｎ  ≦  １８．６            （ｎは１から１５の自然数）
を満たす。
ただし、ΔＣｎ＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
【請求項４】
請求項１〜３のいずれか１項に記載の発光装置であって、
前記発光領域から出射される光束量かつ／または放射束量を変化させることで、φＳＳＬ（λ）が以下の条件３´´−４を更に満たすように出来る発光領域が内在する発光装置。
条件３´´：
飽和度差の最大値をΔＣｍａｘ、飽和度差の最小値をΔＣｍｉｎとした場合に、飽和度差の最大値と、飽和度差の最小値との間の差｜ΔＣｍａｘ−ΔＣｍｉｎ｜が
２．８  ≦  ｜ΔＣｍａｘ−ΔＣｍｉｎ｜  ≦  １９．６
を満たす。
条件４：
当該放射方向に出射される光による照明を数学的に仮定した場合の上記１５種類の修正マンセル色票のＣＩＥ  １９７６  Ｌ＊ａ＊ｂ＊色空間における色相角をθｎＳＳＬ（度）（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６
Ｌ＊ａ＊ｂ＊色空間における色相角をθｎｒｅｆ（度）（ただしｎは１から１５の自然数）とした場合に、色相角差の絶対値｜Δｈｎ｜が
０  ≦  ｜Δｈｎ｜  ≦  ９．０（度）（ｎは１から１５の自然数）
を満たす。
ただし、Δｈｎ＝θｎＳＳＬ−θｎｒｅｆとする。
【請求項５】
請求項１〜４のいずれか１項に記載の発光装置であって、
前記発光領域から出射される光束量かつ／または放射束量を変化させることで、φＳＳＬ（λ）が以下の条件３´´´を更に満たすように出来る発光領域が内在する発光装置。条件３´´´：
下記式（３）で表される飽和度差の平均が下記式（４）を満たす。
【数５】
2014197673.tif 000005
【数６】
2014197673.tif 000006
【請求項６】
請求項２〜５のいずれか１項に記載の発光装置であって、すべてのφＳＳＬＮ（λ）（Ｎは１からＭ）が、前記条件１と条件２を満たす発光装置。
【請求項７】
請求項１〜６のいずれか１項に記載の発光装置であって、前記Ｍ個の発光領域中の、少なくとも１つの発光領域が、他の発光領域に対して電気的に独立に駆動しうる配線となっている発光装置。
【請求項８】
請求項７記載の発光装置であって、Ｍ個の発光領域すべてが、他の発光領域に対して電気的に独立に駆動しうる配線となっている発光装置。
【請求項９】
請求項１〜８のいずれか１項に記載の発光装置であって、前記数式（１）又は（２）で表される指標Ａｃｇ、相関色温度ＴＳＳＬ（Ｋ）、及び黒体放射軌跡からの距離ＤｕｖＳＳＬからなる群から選択される少なくとも１つが変化し得る発光装置。
【請求項１０】
請求項９に記載の発光装置であって、前記数式（１）又は（２）で表される指標Ａｃｇ、相関色温度ＴＳＳＬ（Ｋ）、及び黒体放射軌跡からの距離ＤｕｖＳＳＬからなる群から選択される少なくとも１つが変化した際に、発光装置から主たる放射方向に出射される光束かつ／または放射束を独立に制御しうることを特徴とする発光装置。
【請求項１１】
請求項１〜１０のいずれか１項に記載の発光装置であって、最近接している異なる発光領域全体を包絡する仮想外周上にある任意の２点がつくる最大距離Ｌが、０．４ｍｍ以上２００ｍｍ以下である発光装置。
【請求項１２】
請求項１〜１１のいずれか１項に記載の発光装置であって、
前記発光装置から当該放射方向に出射される光は、分光分布φＳＳＬ（λ）から導出される波長３８０ｎｍ以上７８０ｎｍ以下の範囲の放射効率Ｋ（ｌｍ／Ｗ）が
１８０（ｌｍ／Ｗ）  ≦  Ｋ（ｌｍ／Ｗ）  ≦  ３２０（ｌｍ／Ｗ）
を満たすように出来ることを特徴とする発光装置。
【請求項１３】
請求項１〜１２のいずれか１項に記載の発光装置であって、
前記発光装置から当該放射方向に出射される光は、相関色温度ＴＳＳＬ（Ｋ）が
２５５０（Ｋ）  ≦  ＴＳＳＬ（Ｋ）  ≦  ５６５０（Ｋ）
を満たすように出来ることを特徴とする発光装置。
【請求項１４】
請求項２〜１３のいずれか１項に記載の発光装置であって、
前記発光領域から出射される光束量かつ／または放射束量を変化させることで、前記φＳＳＬ（λ）を、前記条件１−２を満たすように出来る発光領域が内在することを特徴とする発光装置。
【手続補正２】
【補正対象書類名】明細書
【補正対象項目名】０１６４
【補正方法】変更
【補正の内容】
【０１６４】
実施例７
図５７に記載のように、計１６個の発光部であるＬＥＤ電球が存在する縦６０ｃｍ、横１２０ｃｍの天井に埋め込まれた照明システムである発光装置を準備する。ここで図中実線斜線部分は発光領域１として同等のＬＥＤバルブを搭載し、等価な発光領域を形成する。また、図中点線斜線部分は発光領域２として同等のＬＥＤバルブを搭載し、等価な発光領域を形成する。ここで複数の発光領域１に搭載されたＬＥＤ電球は並列に接続され１つの独立した電源に結合する。一方、複数の発光領域２に搭載されたＬＥＤ電球は並列に接続され別の独立した電源に結合する。発光領域１と発光領域２は、それぞれ独立に駆動できるようにする。なお、発光領域１を形成するＬＥＤ電球は青色半導体発光素子、緑色蛍光体、赤色蛍光体を含み、発光領域２を形成するＬＥＤ電球は、異なる調整をした紫色半導体発光素子、青色蛍光体、緑色蛍光体、赤色蛍光体を含むものとできる。
次に、発光領域１と発光領域２を構成するＬＥＤ電球の放射束をそれぞれ独立した電源
に搭載されている調光コントローラーを用いて適宜調整すると、例えば、照明システム中心軸上に放射される図８９〜図９３に示す５種類の分光分布が実現される。図８９は発光領域１を構成するＬＥＤ電球のみを駆動し、発光領域１と発光領域２の放射束比を５：０にする場合であって、図９３は、逆に、発光領域２を構成するＬＥＤ電球のみを駆動し、発光領域１と発光領域２の放射束比を０：５にする場合である。さらに、発光領域１を構成するＬＥＤ電球と発光領域２を構成するＬＥＤ電球の放射束比を、４：１にする場合を図９０に、２．５：２．５にする場合を図９１に、１：４にする場合を図９２に示す。このように、各発光領域を構成するＬＥＤ電球の駆動条件を変化させることで、照明システム中心軸上に放射される放射束を変化させることができる。
また各図に示したＣＩＥＬＡＢプロットは、＃０１から＃１５の１５種類の修正マンセル色票を照明対象物とした場合を数学的に仮定し、当該照明システムである発光装置で照明した場合と、当該照明システムである発光装置の相関色温度から導出される基準の光で照明した場合のａ＊値、ｂ＊値をそれぞれプロットしたものである。なお、ここでは、照明システム（発光装置）としての放射束に対して、発光領域１を構成するＬＥＤ電球の放射束寄与が大きい順に駆動点Ａから駆動点Ｅまでの駆動点名を与えてある。図９４はこれら駆動点ＡからＥまでの色度点をＣＩＥ  １９７６  ｕ’ｖ’色度図上に示したものである。一方、それぞれの駆動点において、予想される測光学的特性、測色学的特性は、表１５にまとめる。